(57)【要約】      （修正有）【課題】クラウド・コンピューティングのリモートデータ保存及び共有の運用において、安全面での危惧がないデータ共有システムを提供する。【解決手段】安全性を有するデータ共有システム１及び実行方法は、インターネットまたはイントラネットによって行なうデータ共有システムで、少なくとも一個のデジタルキー１０及びデジタルボックス２０を備える。デジタルキーのUSBメモリが端末機器３０のUSBソケット３１に挿入され、前記端末機器が認証プログラムを実行し、端末機器の接続ユニットが前記デジタルボックスのネットワークユニット及びデコード（復号）プログラムを介して前記データ保存装置との組合せに間違いがないことをチェックした後、前記端末機器がネットワークユニットを介してデータ保存装置を読み取る。【選択図】図６
2014089685.tif 000002
【特許請求の範囲】
【請求項１】
インターネットまたはイントラネット (Intranet)によって行なうデータ共有システムであって、
少なくとも一個のデジタルキー及びデジタルボックスを備えて、
前記デジタルキーは、USBメモリ、第一メモリユニット、コントロールユニット、第一基板及び前記第一メモリユニットに保存される認証コードを備えて、前記USBメモリが  前記第一基板を介して、前記第一メモリユニット及び前記コントロールユニットに電気的に接続されて、
前記デジタルボックスは、少なくとも一個のデータインターフェース、第二メモリユニット、処理ユニット、第二基板、ネットワークユニット、データ保存装置及び電力ユニットを備えて、このうち、前記データインターフェース、前記第二メモリユニット、前記処理ユニット、前記ネットワークユニット及び前記電力ユニットは、前記第二基板を介して相互に電気的に接続され、前記データ保存装置は、前記データインターフェースと前記第二基板を介して相互に電気的に接続されて、
前記デジタルキーの前記USBメモリが端末機器のUSBソケットに挿入されると、前記端末機器が認証プログラムを実行して、前記認証コードが前記端末機器の接続ユニット及び前記ネットワークユニットを経由して、前記デコード（復号）プログラムに伝達されて、前記認証コードと前記データ保存装置の組合せに間違いがないことをチェックした後、前記端末機器が前記ネットワークユニットを介して前記データ保存装置を読み取ることを特徴とする安全性を有するデータ共有システム。
【請求項２】
前記認証プログラムは、前記第一メモリユニットに保存されることを特徴とする請求項１に記載の安全性を有するデータ共有システム。
【請求項３】
前記認証コードは、前記デジタルボックスの装置番号によって、前記認証プログラムの計算を経て生成されることを特徴とする請求項１に記載の安全性を有するデータ共有システム。
【請求項４】
前記データ保存装置は、内部接続式保存装置または外部接続式保存装置であることを特徴とする請求項１に記載の安全性を有するデータ共有システム。
【請求項５】
前記デジタルボックスの前記第二メモリユニットは、同期プログラムを備えて、前記同期プログラムは、前記データ保存装置のコードデータをリモートサーバーと同期させることを特徴とする請求項１に記載の安全性を有するデータ共有システム。
【請求項６】
前記リモートサーバーは、対応列表及びファイル保存空間を備えることを特徴とする請求項５に記載の安全性を有するデータ共有システム。  
【請求項７】
インターネットまたはイントラネットによってデータ共有システムを実行する安全性を有するデータ共有システム及び実行方法であって、
その実行方法は、
デジタルキーのUSBメモリが端末機器のUSBソケットに挿入されるステップ１と、
端末機器が電源を供給して、デジタルキーを電気的に導通させるステップ２と、
端末機器が認証プログラムを実行するステップ３と、
認証プログラムが端末機器の接続ユニット及びデジタルボックスのネットワークユニットを介してデジタルキーの第一メモリユニットの認証コードをデジタルボックスに伝送するステップ４と、
デジタルボックスのデコード（復号）プログラムが認証コードとデータ保存装置の組合せに間違いがないかどうかをチェックし、デコード（復号）プログラムが認証コードに基づきデータ保存装置のデータを完全に読み取るステップ５と、
端末機器がネットワークユニット及びデコード（復号）プログラムを介してデータ保存装置のデータを読み取るステップ６とを備えることを特徴とする安全性を有するデータ共有システム及び実行方法。
【請求項８】
前記ステップ3の後、前記認証プログラムが装置番号を取得すると、前記装置番号が計算を経由して認証コードを生成し、さらに、デジタルキーの第一メモリユニットに保存されることを特徴とする請求項７に記載の安全性を有するデータ共有システム及び実行方法。
【請求項９】
前記ステップ5の後に、さらに、前記デジタルボックスのオーソライズ（Authorize）プログラムが、前記端末機器に対して検査文字列を生成させて、前記第二メモリユニットの認証表中に保存するステップを備えることを特徴とする請求項７に記載の安全性を有するデータ共有システム及び実行方法。
【請求項１０】
前記ステップ6及び端末機器上のデジタルキーを削除された後、端末機器が再び前記デジタルボックスにインターネット接続されると、オーソライズ（Authorize）プログラムが前記認証表をチェックして、前記端末機器の検査文字列が適合するか否かを確認して記録することを特徴とする請求項９に記載の安全性を有するデータ共有システム及び実行方法。
【請求項１１】
前記認証表が前記端末機器の検査文字列を有する時、オーソライズ（Authorize）プログラムが、検査文字列に基づき暫時認証コードを生成させて、デコード（復号）プログラムに伝送し、デコード（復号）プログラムが、暫時認証コードに基づきデータ保存装置のデータを完全に復号して読み取ることを特徴とする請求項１０に記載の安全性を有するデータ共有システム及び実行方法。
【請求項１２】
前記端末機器は、ネットワークユニット及びデコード（復号）プログラムを介して、データ保存装置のデータを保存することを特徴とする請求項１１に記載の安全性を有するデータ共有システム及び実行方法。
【発明の詳細な説明】
【技術分野】
【０００１】
本発明は、データ共有システムに関し、特にデジタルキーによってデジタル認証を達成するデータ共有システムに関する。
【背景技術】
【０００２】
現在、インターネットの普及に伴い、各種クラウド・コンピューティング（cloud computing）の応用が進んでいる。また、クラウド・コンピューティング（cloud computing）の応用がもたらしたリモートデータ保存及び共有の便利さ、リモートアプリケーションソフトのシンプル化及び低コスト化、リモートコンピューティングによる作業量低減の三つは、現在の環境において最も顕著である。
【０００３】
データの保存/共有を目的とするポータブルストレージデバイスについて言えば、現在最も一般的なものは、USBメモリによってコンピュータ間のデータ/ファイルを伝送する方法である。ユーザーがAコンピュータのデータ/ファイルをBコンピュータにコピーする場合、先ずUSBメモリをAコンピュータに挿入して電気的に接続し、さらにAコンピュータのデータ/ファイルをUSBメモリ中にコピーした後、USBメモリをBコンピュータに挿入して電気的に接続して、すでにUSBメモリに存在するデータ/ファイルをBコンピュータ中に移動またはコピーさせて初めてAコンピュータのデータ/ファイルをBコンピュータでシェアする動作が完了する。
【０００４】
しかしながら、リモートデータ保存及び共有に関しては、現在のUSBメモリによってコンピュータ間のデータを伝送する方法には以下のような問題が存在する。(1)コンピュータ間には実際の距離があるため、リアルタイムでの効率的且つ便利なデータ/ファイルの共有ができない。さらに、(2)前述のデータ/ファイル伝送の過程は、データ/ファイルを二段階方式でUSBメモリによって「コピーして入れ、コピーして出す」というもので、同一のデータ/ファイルが二度伝送されることになり、明らかに伝送効率が二分の一となる。またさらに、(3)単一データ/ファイルを複数コピーすることで、データ/ファイルの新旧バーションにおいて、容易にデータ/ファイルのバージョン間の混同が生じる。その上、(4)ユーザーがデータ/ファイルの新旧バージョンを効果的に管理できないことにより、そのデータ/ファイルのバックアップが作業が確実に行なわれないといった状況も発生する。
【０００５】
ところが、クラウド・コンピューティング（cloud computing）のリモートデータ保存及び共有においても、データ伝送上での安全性の問題、データ保存上での個人情報が外に漏れる等の問題が存在する。上記の問題は、データ伝送について言えば、クラウド・コンピューティング（cloud computing）がインターネットを介してデジタルパケットに不正アクセスされることが原因で発生する。さらに、データ保存面では、データの保存がプレーンテキストによって保存されており、権限者は誰でも読み取ることができる。
【先行技術文献】
【特許文献】
【０００６】
【特許文献１】特開２００９−１６３４１５号公報
【発明の概要】
【発明が解決しようとする課題】
【０００７】
したがって、本発明は、従来の欠点を克服し、クラウド・コンピューティング（cloud computing）のリモートデータ保存及び共有の運用において、安全面での危惧がないデータ共有システムを提供することを課題とする。
【課題を解決するための手段】
【０００８】
上記課題を解決するために、本発明の安全性を有するデータ共有システム及び実行方法は、インターネットまたはイントラネット (Intranet)によって行なうデータ共有システムで、少なくとも一個のデジタルキー及びデジタルボックスを備える。デジタルキーのUSBメモリが端末機器のUSBソケットに挿入され、前記端末機器が認証プログラムを実行し、前記認証プログラムが、前記認証コードを端末機器の接続ユニット及びネットワークユニットを経由して、デコード（復号）プログラムに伝達されて、認証コードとデータ保存装置の組合せに間違いがないことを確認した後、端末機器がネットワークユニットを介して  データ保存装置を読み取る。
【０００９】
したがって、本発明は、データの共有の際に好適な安全性を有することで、デジタルボックスとデジタルキーの間のデータの伝送において、データの保護を容易にして、データが外に漏れるのを回避する安全性を有するデータ共有システム及び実行方法を提供することを目的とする。
【００１０】
さらに、本発明は、デジタルキーが認証することで、従来のパスワードを入力する時間を省略する安全性を有するデータ共有システム及び実行方法を提供することを目的とする。
【００１１】
さらに、本発明は、デジタルキーが認証することで、従来のパスワードを記憶する必要がない安全性を有するデータ共有システム及び実行方法を提供することを目的とする。
【００１２】
さらに、本発明は、デコード（復号）プログラムの暗号化により、データ保存装置が直接内容を読み取ることができないという安全性を有するデータ共有システム及び実行方法を提供することを目的とする。
【００１３】
さらに、本発明は、デジタルボックスの装置番号及び認証プログラムを利用して、新たにオーソライズするデジタルキーを生成する安全性を有するデータ共有システム及び実行方法を提供することを目的とする。
【００１４】
さらに、本発明は、同期プログラムに基づき、データ保存装置のコードデータをリモートサーバーにバックアップすることが可能な安全性を有するデータ共有システム及び実行方法を提供することを目的とする。
【００１５】
さらに、本発明は、ローカルネットワーク内のデジタルボックスが、ローカル端末機器とリモートサーバーが必要とするインターネットのアップロード・ブロードバンドを減少させることが可能な安全性を有するデータ共有システム及び実行方法を提供することを目的とする。
【００１６】
上記目的を達成するため、本発明が使用する主な技術手段は、以下の技術によって実現する。本発明の安全性を有するデータ共有システムは、インターネットまたはイントラネットによって実行するデータ共有システムである。本発明の安全性を有するデータ共有システムは、少なくとも一個のデジタルキー及びデジタルボックスを備える。このうち、前記デジタルキーは、USBメモリ、第一メモリユニット、コントロールユニット、第一基板及び前記第一メモリユニットに保存される認証コードを備え、前記USBメモリは、前記第一基板を介して前記第一メモリユニット及び前記コントロールユニットに電気的に接続される。前記デジタルボックスは、少なくとも一個のデータインターフェース、第二メモリユニット、処理ユニット、第二基板、ネットワークユニット、データ保存装置及び電力ユニットを備える。このうち、前記データインターフェース、前記第二メモリユニット、前記処理ユニット、前記ネットワークユニット及び前記電力ユニットは、前記第二基板を介して相互に電気的に接続され、前記データ保存装置は、前記データインターフェースを介して前記第二基板と相互に電気的に接続される。その特徴は以下のとおりである。デジタルキーの前記USBメモリが端末機器のUSBソケットに挿入されると、前記端末機器が認証プログラムを実行して、前記認証プログラムが、認証コードを前記端末機器の接続ユニット及び前記ネットワークユニットを経由して、前記デコード（復号）プログラムに伝達して、前記認証コードと前記データ保存装置の組合せに間違いがないかどうかをチェックした後、前記端末機器が前記ネットワークユニットを介してデータ保存装置のデータを読み取る。  
【００１７】
本発明の目的及びその技術問題を解決するために、以下の技術方法により、これを実現させる。
【００１８】
前述の安全性を有するデータ共有システムにおいて、前記認証プログラムは、前記第一メモリユニットに保存される。
【００１９】
前述の安全性を有するデータ共有システムにおいて、前記認証コードは、前記デジタルボックスの装置番号により、前記認証プログラムの計算を経て生成される。
【００２０】
前述の安全性を有するデータ共有システムにおいて、前記データ保存装置は、内部接続式保存装置または外部接続式保存装置である。
【００２１】
前述の安全性を有するデータ共有システムにおいて、前記デジタルボックスの前記第二メモリユニットは、同期プログラムを含み、前記同期プログラムは、前記データ保存装置のコードデータをリモートサーバーと同期させる。
【００２２】
前述の安全性を有するデータ共有システムにおいて、前記リモートサーバーは、対応表及びファイル保存空間を備える。
【００２３】
本発明における安全性を有するデータ共有システムの実行方法は、インターネットまたはイントラネットによってデータ共有システムを実行する実行方法である。その実行方法は以下のステップを備える。ステップ1：デジタルキーのUSBメモリが端末機器のUSBソケットに挿入される。ステップ2：端末機器が電源を供給して、デジタルキーを電気的に導通させる。ステップ3：端末機器が認証プログラムを実行する。ステップ4：認証プログラムが端末機器の接続ユニット及びデジタルボックスのネットワークユニットを介してデジタルキーの第一メモリユニットの認証コードをデジタルボックスに伝送する。ステップ5：デジタルボックスのデコード（復号）プログラムが認証コードとデータ保存装置の組合せに間違いがないかどうかをチェックし、デコード（復号）プログラムが認証コードに基づきデータ保存装置のデータを完全に読み取る。ステップ6：端末機器がネットワークユニット及びデコード（復号）プログラムを介してデータ保存装置のデータを読み取る。
【００２４】
さらに、本発明の目的及びその技術問題を解決するために、以下の技術方法により、これを実現させる。
【００２５】
前述の安全性を有するデータ共有システム及び実行方法において、前記ステップ3の後、前記認証プログラムが装置番号を取得すると、前記装置番号が計算を経ることで認証コードが生成され、さらに、デジタルキーの第一メモリユニットに保存される。
【００２６】
前述の安全性を有するデータ共有システム及び実行方法において、前記ステップ5の後、さらに、前記デジタルボックスのオーソライズ（Authorize）プログラムが前記端末機器に対して検査文字列を生成して、前記第二メモリユニットの認証表中に保存するというステップを備える。
【００２７】
前述の安全性を有するデータ共有システム及び実行方法において、前記ステップ6及び  端末機器上のデジタルキーが削除された後、端末機器が再び前記デジタルボックスにインターネット接続されると、オーソライズ（Authorize）プログラムが前記認証表が前記端末機器の検査文字列に適合するか否かを確認して記録する。
【００２８】
前述の安全性を有するデータ共有システム及び実行方法において、前記認証表が前記端末機器の検査文字列を有する時、オーソライズ（Authorize）プログラムが、検査文字列に基づき暫時認証コードを生成して、デコード（復号）プログラムに伝送し、デコード（復号）プログラムは暫時認証コードに基づきデータ保存装置のデータを完全に復号して読み取る。
【００２９】
前述の安全性を有するデータ共有システム及び実行方法において、前記端末機器は、ネットワークユニット及びデコード（復号）プログラムを介してデータ保存装置のデータを読み取る。
【００３０】
従来の技術と比較すると、本発明は以下のような長所を有する。(1) データ共有の際の安全性を有することで、デジタルボックスとデジタルキーの間のデータ伝送におけるデータ保護が容易に行なえて、データが外に漏れることがない。(2) ユーザーが、複数のID番号やパスワードを記憶する必要がなく、従来のID番号やパスワードに関連する問題を確実に改善することができる。(3) データ保存装置にデータを暗号化して保存することで、データの安全性を確保する。(4)ユーザーがデジタルボックスの装置番号及び認証プログラムによって、新たにオーソライズされるデジタルキーが生成される。(5) ローカルのデジタルボックス以外にも、リモートサーバーを備えて、分流及びバックアップの効果を達成するサポートが可能である。
【発明の効果】
【００３１】
このように、本発明の安全性を有するデータ共有システム及び実行方法は、インターネットまたはイントラネット (Intranet)によって行なうデータ共有システムで、少なくとも一個のデジタルキー及びデジタルボックスを備える。デジタルキーのUSBメモリが端末機器のUSBソケットに挿入され、前記端末機器が認証プログラムを実行し、端末機器の接続ユニットが前記デジタルボックスのネットワークユニット及びデコード（復号）プログラムを介して前記データ保存装置との組合せに間違いがないことをチェックした後、前記端末機器がネットワークユニットを介してデータ保存装置を読み取る。したがって、本発明の安全性を有するデータ共有システム及び実行方法は、データの共有の際に好適な安全性を有することで、デジタルボックスとデジタルキーの間のデータの伝送において、データの保護を容易にして、データが外に漏れるのを回避する安全性を有する。      
【図面の簡単な説明】
【００３２】
【図１】本発明の実施例を示したフローチャート（一）である。
【図２】本発明の実施例を示したブロック図（一）である。
【図３】本発明の実施例の操作を示した図（一）である。
【図４】本発明の実施例を示したフローチャート（二）である。
【図５】本発明の実施例を示したブロック図（二）である。
【図６】本発明の実施例の操作を示した図（二）である。
【図７】本発明の実施例を示したフローチャート（三）である。
【発明を実施するための形態】
【００３３】
以下、図を参照しながら、本発明の好適な実施例におけるデータ共有システムについて説明する。
【００３４】
図１から図７に示したのは、本発明の安全性を有するデータ共有システム及び実行方法における実施例である。先ず、図2は、本発明の安全性を有するデータ共有システム（1）である。本発明の安全性を有するデータ共有システムは、少なくとも一個のデジタルキー（10）及びデジタルボックス（20）を備える。
【００３５】
図2に示したように、前記デジタルキー（10）は、USBメモリ（11）、第一メモリユニット（12）、コントロールユニット（13）、第一基板（14）及び前記第一メモリユニット（12）に保存される認証コード（15）を備え、前記USBメモリ（11）は、前記第一基板（14）を介して前記第一メモリユニット（12）及び前記コントロールユニット（13）に電気的に接続される。
【００３６】
具体的には、USBメモリ（11）は、ユニバーサル・シリアル・バス（Universal Serial Bus, USB）標準に適合するコネクタである。第一メモリユニット（12）は、不揮発性メモリ（Non-volatile memory, NVRAM）で、電流が遮断された後、保存されたデータが消失しないという特性を有する。これにより、認証コード（15）等のデータを保存することが可能である。コントロールユニット（13）は、複雑なコンピュータプログラムを実行することが可能なロジックマシンである。第一基板（14）は、通常回路基板（circuit board）である。例えば、基板は、単層または多層回路を有するプリント回路板である。また、必要に応じて、第一基板（14）は、リードフレーム、回路薄膜(Polyimide)、BT回路板または各種チップ基板も可能である。第一基板（14）内部には、回路（図示なし）が形成されて、インターフェースに電気的に伝達される。また、ワイヤ形式によって形成されるワイヤボンディングまたはフリップチップ接合技術は、USBメモリ（11）、第一メモリユニット（12）及びコントロールユニット（13）を相互に電気的に接続させる。
【００３７】
好適には、図2に示したように、ハードウェアの機能を発揮させるために、ソフトウェアを組み合わせる必要があるため、認証プログラム（16）を前記第一メモリユニット（12）中に保存して、ユーザーが使用しやすいようにするが、ユーザーはデータ保存キャリアまたはウェブサイトを経て端末機器にダウンロードしてインストール/実行することも可能である。
【００３８】
さらに、図2に示したように、前記デジタルボックス（20）は、少なくとも一個のデータインターフェース（21）、第二メモリユニット（22）、処理ユニット（23）、第二基板（24）、ネットワークユニット（25）、データ保存装置（26）及び電力ユニット（27）を備える。このうち、前記データインターフェース（21）、前記第二メモリユニット（22）、前記処理ユニット（23）、前記ネットワークユニット（25）及び前記電力ユニット（27）は、前記第二基板（24）を介して相互に電気的に接続され、前記データ保存装置（26）は、前記データインターフェース（21）を介して前記第二基板（24）と相互に電気的に接続される。
【００３９】
詳しく述べれば、データインターフェース（21）は、データが内部保存装置と外部保存装置またはその他の周辺設備の間において入力と出力される際のインターフェースであり、電力供給機能も含む。一般によく見られる規格は、ユニバーサル・シリアル・バス（Universal Serial Bus, USB）標準に適合するソケット、または、シリアルATA（Serial Advanced Technology Attachment, SATA）標準のソケット等で、またあるいは、溶接方式によって第二基板（24）に電気的に接続されることにより、データ保存装置（26）が第二基板（24）に電気的に接続される目的を達成する。第二メモリユニット（22）は、不揮発性メモリ（Non-volatile memory, NVRAM）で、電流が遮断された後、保存されたデータが消失しないという特性を有する。これにより、設定及び記録に関するデータを保存することができる。処理ユニット（23）は、複雑なコンピュータプログラムを実行することが可能なロジックマシンである。第二基板（24）は、通常回路基板（circuit board）である。例えば、基板は、単層または多層回路を有するプリント回路板である。また、必要に応じて、第一基板（14）は、リードフレーム、回路薄膜(Polyimide)、BT回路板または各種チップ基板でも可能である。第一基板（14）内部には、回路（図示なし）が形成されて、インターフェースに電気的に伝達される。また、ワイヤ形式によって形成されるワイヤボンディングまたはフリップチップ接合技術は、データインターフェース（21）、第二メモリユニット（22）、処理ユニット（23）、ネットワークユニット（25）及び電力ユニット（27）を相互に電気的に接続させる。前記データ保存装置（26）は、内部接続式保存装置または外部接続式保存装置で、その保存装置は、メッセージをデジタル化した後、さらに電気、磁気または光学等を利用した方式の媒体に保存を加えた装置であり、それはデータインターフェース（21）方式または外部接続電源方式を介して作動電力を得る。さらに、データインターフェース（21）は、第二基板（24）に電気的に接続され、最後に、処理ユニット（23）によって読み取り及び書き込みの動作をコントロールする。
【００４０】
好適には、図5及び図6に示したように、前記デジタルボックス（20）表面に、装置番号（28）を含むことが望ましい。前記装置番号（28）は、デジタルボックス（20）独自の認識番号で二つとなく、この装置番号（28）は、前記認証プログラム（16）の計算によって新しい認証コード（15）が生成される。利便性から言えば、前記データ保存装置（26）は、内部接続式保存装置または外部接続式保存装置であり、このうち、外部接続式ハードディスク形式は交換性に優れる。さらに、図5に示したように、前記デジタルボックス（20）の第二メモリユニット（22）は、同期プログラム（222）を含む。前記同期プログラム（222）は、前記データ保存装置（26）のコードデータをリモートサーバー（40）と同期させる。このうち、リモートサーバー（40）は、対応列表（41）及びファイル保存空間（42）を含み、前記ファイル保存空間（42）は、デジタルボックス（20）の保存空間に対応する。それは、リモートサーバー（40）構造中に位置する。対応列表（41）は、前記ファイル保存空間（42）にデータ保存を記録した関連情報である。
【００４１】
次に、図1、2及び図3を同時に参照しながら説明する。本発明の安全性を有するデータ共有システムの実行方法は、インターネットまたはイントラネットによって行なうデータ共有システムの実行方法である。その方法は、以下のステップを備える。
ステップ1（101）：デジタルキー（10）のUSBメモリ（11）が端末機器（30）のUSBソケット（31）に挿入される。
ステップ2（102）：端末機器（30）が電源を提供して、デジタルキー（10）を電気的に導通させる。
ステップ3（103）：端末機器（30）が認証プログラム（16）を実行する。
ステップ4（104）：認証プログラム（16）が端末機器（30）の接続ユニット（32）及びデジタルボックス（20）のネットワークユニット（25）を経由して、デジタルキー（10）の第一メモリユニット（12）の認証コード（15）を、デジタルボックス（20）に伝送する。
ステップ5（105, 1051）：デジタルボックス（20）のデコード（復号）プログラム（221）が認証コード（15）とデータ保存装置（26）の組合せに間違いがないかどうかをチェックし、デコード（復号）プログラム（221）が認証コード（15）に基づき、データ保存装置（26）のデータを完全に復号して読み取る。
ステップ6（106）：端末機器（30）がネットワークユニット（25）及びデコード（復号）プログラム（221）を介してデータ保存装置（26）のデータを読み取る。
【００４２】
具体的に言えば、図2に示したように、図1のステップ5の実行条件（105）中、デジタルボックス（20）のデコード（復号）プログラム（221）が、インターネットから伝達された認証コード（15）とデータ保存装置（26）内のコードデータに間違いがないかどうかをチェックし、さらに、図1のステップ5の実行内容（1051）が、デコード（復号）プログラム（221）によって、認証コード（15）に基づき、完全にデータ保存装置（26）の暗号化されたデータを復号して、これを読み取ることにより、絶対にデータ保存装置（26）が直接内容を読み取ることができない上、従来のパスワードを記憶する必要がない。
【００４３】
好適には、先ず図2及び図4を参照しながら説明する。図1と異なるのは、前記ステップ3（103）後に、ステップ3-1（1031）が追加される点である。前記ステップ3-1（1031）は、認証プログラム（16）がデジタルボックス（20）の装置番号（28）を取得した後、装置番号（28）が、計算により認証コード（15）を生成させて、さらに、一組の新しいデジタルキー（10）の第一メモリユニット（12）に保存することにより、デジタルボックス（20）の装置番号（28）及び認証プログラム（16）を利用して新しいオーソライズのデジタルキー（10）を生成する。これにより、前記デジタルキー（10）は、数量上の制限がない。
【００４４】
また、図5及び図6に示したように、前記デジタルボックス（20）の同期プログラム（222）を利用して、データ保存装置（26）のコードテータをリモートサーバー（40）と同期させ、さらに、対応列表（41）によって、ファイルのデータ情報を記録する。例えば、共有、ファイルの大きさ、ファイルの保存位置、変更時間、暫時復号情報等で、これは、近距離でのデジタルボックス（20）の読み取り機能を有し、外部のネットワークにより読み取るリモートサーバー（40）ネット流量を分担し、コスト削減の効果を有し、且つ、データ保存装置のコードデータをリモートサーバー（40）にバックアップする。
【００４５】
さらに、図5及び図7を参照しながら説明する。これは、一度デジタルキー（10）によって端末機器（30）を認証した後、デジタルボックス（20）が前記端末機器（30）を記録してオーソライズし、デジタルキー（10）を有さない方式によりデジタルボックス（20）を読み取る過程である。このうち、図1と異なるのは、ステップ5（105, 1051）の後とステップ6（106）の前に、ステップ5-1（1052）を追加し、ステップ6（106）の後にステップ7（107, 1071）及びステップ8（108）を追加して、ステップ6の内容（106）に戻る点である。
【００４６】
ステップ5-1（1052）は、前記オーソライズ（Authorize）プログラム（223）が、前記端末機器（30）において、ネットワークユニット（25）及びデコード（復号）プログラム（221）を介して、データ保存装置（26）のデータを読み取る時、認証プログラム（16）によって、前記端末機器（30）のMACアドレス（Media Access Control Address, MAC）、端末機器ハードウェア情報及びユーザーID等のオリジナルメッセージを取得し、記録した後、コードが検査文字列（33）を生成させて、さらに、前記第二メモリユニット（22）の認証表（224）中に保存する。その後、前記情報は、前記端末機器（30）の合法性を確認する。ステップ7実行条件（107）は、端末機器（30）上のデジタルキー（10）を削除し、次に、ステップ7実行内容（1071）に示したように、前記端末機器（30）が、再び、前記デジタルボックス（20）にインターネット接続されると、前記デジタルボックス（20）のデコード（復号）プログラム（221）は、認証コード（15）を取得することができない。オーソライズ（Authorize）プログラム（223）は、自主的に前記認証表（224）をチェックし、前記端末機器（30）の検査文字列（33）に適合するかどうかを確認して記録する。その後、ステップ8（108）の内容に基づき、前記認証表（224）が前記端末機器（30）の検査文字列（33）を有することを確認した後、前記オーソライズ（Authorize）プログラム（223）が、検査文字列（33）に基づき、暫時認証コード（331）を生成させて、デコード（復号）プログラム（221）に伝送し、デコード（復号）プログラム（221）が暫時認証コード（331）に基づき、完全にデータ保存装置（26）のデータを復号させる。最後に、ステップ6（106）に示したように、前記端末機器（30）が、ネットワークユニット（25）及びデコード（復号）プログラム（221）を介して、再び、データ保存装置（26）のデータを読み取る。
【００４７】
このように、本発明の効果は、従来の一般的なクラウド・コンピューティング（cloud computing）構造とは異なり、同タイプの製品中には類を見ないものである。
【００４８】
以上、本発明の実施例を図面を参照して詳述してきたが、具体的な構成は、これらの実施例に限られるものではなく、本発明の要旨を逸脱しない範囲の設計変更などがあっても、本発明に含まれる。
【符号の説明】
【００４９】
1     安全性を有するデータ共有システム
10     デジタルキー
11     USBメモリ  
12     第一メモリユニット
13     コントロールユニット
14     第一基板
15     認証コード
20     デジタルボックス
21     データインターフェース
22     第二メモリユニット
221     デコード（復号）プログラム
222     同期プログラム
223 オーソライズ（Authorize）プログラム
224     証表
23     処理ユニット
24     第二基板
25     ネットワークユニット
26     データ保存装置
27     電力ユニット
28  装置番号
30  端末機器
31  USBソケット
32  接続ユニット
33  検査文字列
331     暫時認証コード
40  リモートサーバー
41  対応列表
42  ファイル保存空間
101     ステップ１
102     ステップ２
103     ステップ３
104     ステップ４
105     ステップ５実行条件
1051 ステップ５実行内容
106     ステップ６  
107     ステップ７実行条件
1071 ステップ７実行内容
108     ステップ８
【図１】
2014089685.tif 000003
【図２】
2014089685.tif 000004
【図３】
2014089685.tif 000005
【図４】
2014089685.tif 000006
【図５】
2014089685.tif 000007
【図６】
2014089685.tif 000008
【図７】
2014089685.tif 000009